(57)【要約】 【課題】  消費電力を低減してＥＭＩ発生を減少させながら応答速度を向上することができる表示装置、表示装置の駆動装置及び表示装置の駆動方法を提供する。【解決手段】  表示装置は、ディスプレイパネル１００とスキャン駆動部２００とタイミング制御部５００とデータ駆動部３００とを含む。ディスプレイパネル１００は、複数の画素、複数のスキャンラインＧｑ及び複数のデータラインＤｐを含む。スキャン駆動部２００は、複数のスキャンラインＤｐにスキャン信号を順次供給する。タイミング制御部５００は、現在フレームの第１階調データをエンコーディングする。タイミング制御部５００は、以前フレームのエンコーディングされた第２階調データをデコーディングする。タイミング制御部５００は、以前フレームの第２階調データと現在フレームの第１階調データとの比較を通じて、現在フレームの第１階調データを補償して、補償階調データを生成する。データ駆動部３００は、補償階調データを用いてデータ信号を生成してデータラインに供給する。【選択図】      図２
2005004202.tif 000002
【特許請求の範囲】
【請求項１】
複数の画素、複数のスキャンライン、及び複数のデータラインを含むディスプレイパネルと、
前記複数のスキャンラインにスキャン信号を順次供給するスキャン駆動部と、
現在フレームの第１階調データをエンコーディングし、以前フレームのエンコーディングされた第２階調データをデコーディングして、前記以前フレームの前記第２階調データと前記現在フレームの前記第１階調データとの比較を通じて、前記現在フレームの前記第１階調データを補償して、補償階調データを生成するタイミング制御部と、
前記補償階調データを用いてデータ信号を生成して前記データラインに供給するデータ駆動部と、
を含む、
表示装置。
【請求項２】
前記タイミング制御部は、前記以前フレームの前記第２階調データと前記現在フレームの前記第１階調データとの比較を通じて、前記現在フレームの第１極性データを生成し、前記現在フレームの第１極性データを考慮して前記現在フレームの第１階調データをデコーディングし、
前記現在フレームの前記第１極性データとエンコーディングされた前記現在フレームの前記第１階調データとを記憶するメモリをさらに備えた、
請求項１に記載の表示装置。
【請求項３】
前記タイミング制御部は、前記第１階調データのうち、第１画素に相応する第１Ｎビット階調データと、前記第１画素に隣接する第２画素に相応する第２Ｎビット階調データとの間で発生するトグル数を考慮して、前記第１極性データを生成する、
請求項２に記載の表示装置。
【請求項４】
前記第１極性データは、第１画素に相応する第１Ｎビット階調データと前記第１画素に隣接する画素である第２画素に相応する第２Ｎビット階調データとのトグル数の合計である全体トグル数が所定の臨界トグル数より大きいか同じであるとチェックされる場合に、第１レベルを有し、前記全体トグル数が前記臨界トグル数より小さいとチェックされる場合に、第２レベルを有する、
請求項３に記載の表示装置。
【請求項５】
前記タイミング制御部は、前記第１レベルの前記第１極性データが生成された場合に、前記第１Ｎビット階調データを反転させ、前記第２レベルの前記第１極性データが生成された場合に、前記第１Ｎビット階調データを非反転させる、
請求項４に記載の表示装置。
【請求項６】
前記メモリは、エンコーディングされた前記現在フレームの前記第１階調データとエンコーディングされた前記以前フレームの前記第２階調データとをフレーム単位に記憶する、
請求項２に記載の表示装置。
【請求項７】
前記タイミング制御部は、前記以前フレームの第２極性データと前記以前フレームのエンコーディングされた前記第２階調データとを前記メモリから読み出し、前記以前フレームの前記第２極性データを考慮して前記以前フレームの前記第２階調データをデコーディングし、デコーディングされた前記以前フレームの前記第２階調データと前記現在フレームの前記第１階調データとの比較を通じて、前記補償階調データを生成する、
請求項６に記載の表示装置。
【請求項８】
前記タイミング制御部は、
前記画像信号ソースから前記現在フレームの前記第１階調データを受信して前記現在フレームの前記第１階調データをエンコーディングし、前記第１階調データのうち、第１画素に相応する第１Ｎビット階調データと、前記第１画素に隣接する第２画素に相応する第２Ｎビット階調データとの間で発生するトグル数を反映して第１極性データを生成するエンコーディング部と、
前記以前フレームの前記第２階調データに相応する第２極性データに基づいて、前記メモリに記憶された以前フレームのエンコーティングされた前記第２階調データをデコーディングするデコーディング部と、
イネーブル信号に応答して前記現在フレームのエンコーディングされた前記第１階調データと前記第１極性データとを前記メモリに出力し、前記メモリに記憶された前記以前フレームのエンコーディングされた前記第２階調データと前記第２極性データとを前記デコーディング部に出力するスイッチング部と、
を有する、
請求項２に記載の表示装置。
【請求項９】
前記イネーブル信号は、フレーム反転信号に基づいて生成される、
請求項８に記載の表示装置。
【請求項１０】
前記イネーブル信号は、ライン反転信号に基づいて生成される、
請求項８に記載の表示装置。
【請求項１１】
前記エンコーディング部は、
前記第１Ｎビット階調データと前記第２Ｎビット階調データとの間で発生するビット別トグル数を反映したＮビットトグル有無データを出力し、前記第１Ｎビット階調データを反転させるべきか否かを示す反転データによって前記第１Ｎビット階調データを反転又は非反転させてエンコーディングされた第３階調データを前記メモリに出力するトグルチェック部と、
前記トグル有無データに応答して前記ビット別トグル数の合算値を反映したトグル数合算信号を生成して出力するトグル数チェック部と、
前記隣接ビット別トグル数が一定数より大きいか同じである場合に、第１レベルの前記第１極性データ又は前記第２極性データを前記メモリに出力し、第１レベルの前記反転データを前記トグルチェック部に出力し、前記隣接ビット別トグル数が前記一定数より小さい場合に、第２レベルの前記第１極性データ又は前記第２極性データを前記メモリに出力し、第２レベルの前記反転データを前記トグルチェック部に出力するトグルカウンター部と、
を含む、
請求項８に記載の表示装置。
【請求項１２】
前記トグルチェック部は、前記第１Ｎビット階調データを１クロックシフトさせた第３Ｎビット階調データと前記第２Ｎビット階調データとの比較を通じて、前記トグル有無データを出力する、
請求項１１に記載の表示装置。
【請求項１３】
前記タイミング制御部は、前記以前フレームの前記第２階調データと前記現在フレームの前記第１階調データとの比較を通じて、前記現在フレームの前記第１階調データを補償して、前記補償階調データを生成する階調データ補正部をさらに有し、
前記タイミング制御部の前記デコーディング部は、エンコーディングされた前記第２階調データと前記第２極性データとの提供を受け、前記第２極性データが第１レベルである場合、エンコーディングされた前記第２階調データを反転させて前記階調データ補正部へ出力し、前記第２極性データが第２レベルである場合、前記エンコーディングされた前記第２階調データを非反転させて前記階調データ補正部へ出力する、
請求項８に記載の表示装置。
【請求項１４】
複数の画素、複数のスキャンライン、及び複数のデータラインを含む表示装置の駆動装置において、
画像信号ソースから現在フレームの第１階調データを受信してエンコーディングし、以前フレームのエンコーディングされた第２階調データをデコーディングして、前記以前フレームの前記第２階調データと前記現在フレームの前記第１階調データとの比較を通じて、前記現在フレームの前記第１階調データを補償して補償階調データを生成するタイミング制御部と、
前記補償階調データを用いてデータ信号を生成して前記複数のデータラインに供給するデータ駆動部と、
を含む、
表示装置の駆動装置。
【請求項１５】
エンコーディングされた前記現在フレームの前記第１階調データと、エンコーディングされた前記以前フレームの前記第２階調データとを記憶するメモリを更に含む、
請求項１４に記載の表示装置の駆動装置。
【請求項１６】
前記タイミング制御部は、
前記画像信号ソースから前記現在フレームの前記第１階調データを受信して、前記現在フレームの前記第１階調データをエンコーディングし、前記第１階調データのうち、第１画素に相応する第１Ｎビット階調データと前記第１画素に隣接する第２画素に相応する第２Ｎビット階調データとの間で発生するトグル数を反映して第１極性データを生成するエンコーディング部と、
前記以前フレームの前記第２階調データに相応する第２極性データに基づいて、メモリに記憶された前記以前フレームのエンコーディングされた前記第２階調データをデコーディングするデコーディング部と、
イネーブル信号に応答して前記現在フレームのエンコーディングされた前記第１階調データと前記第１極性データとを前記メモリに出力し、前記メモリに記憶された前記以前フレームのエンコーディングされた前記第２階調データと前記第２極性データを前記デコーディング部に出力するスイッチング部と、
を有する、
請求項１４に記載の表示装置の駆動装置。
【請求項１７】
前記エンコーディング部は、
前記第１Ｎビット階調データと前記第２Ｎビット階調データとの間で発生するビット別トグル数を反映したＮビットトグル有無データを出力し、前記第１Ｎビット階調データを反転させるべきか否かを示す反転データによって前記第１Ｎビット階調データを反転又は非反転させてエンコーディングされた第３階調データを前記メモリに出力するトグルチェック部と、
前記トグル有無データに応答して、前記ビット別トグル数の合算値を反映したトグル数合算信号を生成して出力するトグル数チェック部と、
前記隣接ビット別トグル数が一定数より大きいか同じである場合に、第１レベルの前記第１極性データ又は前記第２極性データを前記メモリに出力し、第１レベルの前記反転データを前記トグルチェック部に出力し、前記隣接ビット別トグル数が前記一定数より小さい場合に、第２レベルの前記第１極性データ又は前記第２極性データを前記メモリに出力し、第２レベルの前記反転データを前記トグルチェック部に出力するトグルカウンター部と、
を含む、
請求項１６に記載の表示装置の駆動装置。
【請求項１８】
前記タイミング制御部は、前記以前フレームの前記第２階調データと前記現在フレームの前記第１階調データとの比較を通じて、前記現在フレームの前記第１階調データを補償して、前記補償階調データを生成する階調データ補正部をさらに有し、
前記タイミング制御部の前記デコーディング部は、エンコーディングされた前記第２階調データと前記第２極性データとの提供を受け、前記第２極性データが第１レベルである場合、エンコーディングされた前記第２階調データを反転させて前記階調データ補正部へ出力し、前記第２極性データが第２レベルである場合、前記エンコーディングされた前記第２階調データを非反転させて前記階調データ補正部へ出力する、
請求項１６に記載の表示装置の駆動装置。
【請求項１９】
前記表示装置の複数のスキャンラインにスキャン信号を順次供給するスキャン駆動部を更に含む、
請求項１４に記載の表示装置の駆動装置。
【請求項２０】
複数のスキャンライン及び複数のデータラインを含む表示装置の駆動方法において、
現在フレームの第１階調データがエンコーディングされる第１ステップと、
以前フレームのエンコーディングされた第２階調データがデコーディングされて、前記以前フレームの前記第２階調データと前記現在フレームの前記第１階調データとの比較を通じて、前記現在フレームの前記第１階調データが補償されて補償階調データが生成される第２ステップと、
前記補償階調データを用いてデータ電圧が生成されて前記データラインに供給される第３ステップと、
を含む、
表示装置の駆動方法。
【請求項２１】
前記第１ステップは、
第１クロック区間に相応する第３階調データの初期値と前記第３階調データの現在値との間の第１トグル数がチェックされる第１１ステップと、
前記第１トグル数と臨界トグル数との比較を通じて、前記第３階調データがエンコーディングされて第４階調データが生成されるとともに、第１極性データのレベルが決定される第１２ステップと、
前記第１クロック区間に後続される第２クロック区間に相応する第５階調データと前記第４階調データと間の第２トグル数をチェックする第１３ステップと、
前記第２トグル数と前記臨界トグル数との比較を通じて、前記第５階調データがエンコーディングされるとともに、前記第１極性データのレベルが決定される第１４ステップと、
を有する、
請求項２０に記載の表示装置の駆動方法。
【請求項２２】
前記第１２ステップは、
前記第１トグル数が前記臨界トグル数より大きいか同じであるとチェックされる場合に、前記第３階調データを反転させてエンコーディングされた第４階調データが生成されるとともに、前記第１極性データのレベルが第１レベルに決定される第１２１ステップと、
前記第１トグル数が前記臨界トグル数より小さいとチェックされる場合には、前記第３階調データを非反転させてエンコーディングされた第４階調データが生成されるとともに、前記第１極性データのレベルが第２レベルに決定される第１２２ステップと、
を備えた、
請求項２１に記載の表示装置の駆動方法。
【請求項２３】
前記第１４ステップは、
前記第２トグル数が前記臨界トグル数より大きいか同じであるとチェックされる場合に、前記第５階調データを反転させてエンコーディングされた第６階調データが生成されるとともに、前記第１極性データのレベルが第１レベルに決定される第１４１ステップと、
前記第２トグル数が前記臨界トグル数より小さいとチェックされる場合に、前記第５階調データを非反転させてエンコーディングされた第６階調データが生成されるとともに、前記第１極性データのレベルが第２レベルに決定される第１４２ステップと、
を備えた、
請求項２１に記載の表示装置の駆動方法。
【請求項２４】
前記第１ステップは、
以前フレームのエンコーディングされた第２階調データと前記以前フレームのエンコーディングされた第２階調データに相応する第２極性データが読み出される第１５ステップと、
前記第２極性データを考慮して前記以前フレームの第２階調データがデコーディングされる第１６ステップと、
前記現在フレームの前記第１階調データとデコーディングされた前記以前フレームの前記第２階調データとの比較を通じて、前記補償階調データが生成される第１７ステップと、
を有する、
請求項２０に記載の表示装置の駆動方法。
【請求項２５】
前記第１６ステップでは、前記第２極性データが第１レベルである場合に、エンコーディングされた前記第２階調データが反転されて出力され、前記第２極性データが第２レベルである場合に、エンコーディングされた前記第２階調データが非反転されて出力される、
請求項２４に記載の表示装置の駆動方法。
【請求項２６】
前記スキャンラインにスキャン信号が順次供給される第４ステップを更に含む、
請求項２４に記載の表示装置の駆動方法。
【発明の詳細な説明】
【技術分野】
【０００１】
本発明は、表示装置とこれの駆動装置及び方法に関し、より詳細には、消費電力を低減してＥＭＩ発生を減少させるための表示装置とこれの駆動装置及び方法に関するものである。
【背景技術】
【０００２】
一般に、液晶表示装置（Ｌｉｑｕｉｄ  Ｃｒｙｓｔａｌ  Ｄｉｓｐｌａｙ）は、スリムなデザイン、低消費電力、高解像度等の長所に基づいて、ノートパソコン用、モニター用等に用いられている。また、液晶パネルが大型化されるにつれて、ＴＶ用に注目されている。主に動画像をディスプレイするＴＶに採用されるためには、液晶の応答速度が重要である。
特に、ＴＶ用液晶表示装置は、従来のＣＲＴを代替するので、各特性項目もＣＲＴを基準に比較することが一般的である。このような場合、液晶表示装置では、応答速度が最も改善すべき要素である。
【発明の開示】
【発明が解決しようとする課題】
【０００３】
しかし、従来の液晶表示装置は、動画像を表示する際に応答速度が十分でないことがある。このような応答速度の問題を改善するために、従来の技術では、ＯＣＢ（Ｏｐｔｉｃａｌｌｙ  Ｃｏｍｐｅｎｓａｔｅｄ  Ｂａｎｄ）モードが使用されるか、強誘電性液晶物質ＦＬＣを使用する液晶表示装置が使用されることがある。ところが、このようにＯＣＢモードやＦＬＣが使用される場合には、消費電力が増加してＥＭＩ（Electro Magnetic Interference ：電磁妨害雑音）が発生するおそれがある。特に、図１に示すように、階調データ補正部（波線で囲った部分）におけるフレームメモリ１０の使用によって、タイミング制御部（図示せず）とのインターフェースのための別のメモリデータピン（図示せず）が追加され、時間的に隣接するフレームについて階調データのビット毎のトグル数がメモリデータピン（図示せず）によって増加する傾向があり、データピン（図示せず）から放出される電流量が増加するおそれがある。例えば、２４ビットデータ入出力のためのメモリデータピンが２４個である場合、２４個のデータピンで同時にデータのトグルが行われると、隣接データピン間に上昇エッジ（ｒｉｓｉｎｇ  ｅｄｇｅ）から下降エッジ（ｆａｌｌｉｎｇ  ｅｄｇｅ）に、又は下降エッジから上昇エッジへのトグル（ｔｏｇｇｌｅ）による電流変化量の増加によるＥＭＩが発生する傾向がある。また、前記した電流増加によって、消費電力が増加するおそれがあり、ＥＭＩが発生する傾向がある。
そこで、本発明の目的は、消費電力を低減してＥＭＩ発生を減少させながら応答速度を向上することができる表示装置
、表示装置の駆動装置
及び表示装置の駆動方法を提供することにある。
【課題を解決するための手段】
【０００４】
第１発明に係る表示装置は、ディスプレイパネルとスキャン駆動部とタイミング制御部とデータ駆動部とを含む。ディスプレイパネルは、複数の画素、複数のスキャンライン及び複数のデータラインを含む。スキャン駆動部は、複数のスキャンラインにスキャン信号を順次供給する。タイミング制御部は、現在フレームの第１階調データをエンコーディングする。タイミング制御部は、以前フレームのエンコーディングされた第２階調データをデコーディングする。タイミング制御部は、以前フレームの第２階調データと現在フレームの第１階調データとの比較を通じて、現在フレームの第１階調データを補償して、補償階調データを生成する。データ駆動部は、補償階調データを用いてデータ信号を生成してデータラインに供給する。
【０００５】
この表示装置では、タイミング制御部が、現在フレームの第１階調データをエンコーディングする。タイミング制御部が、以前フレームのエンコーディングされた第２階調データをデコーディングする。タイミング制御部が、以前フレームの第２階調データと現在フレームの第１階調データとの比較を通じて、現在フレームの第１階調データを補償して、補償階調データを生成する。データ駆動部が、補償階調データを受け取ることができる。データ駆動部が、補償階調データを用いてデータ信号を生成してディスプレイパネルのデータラインに供給する。スキャン駆動部が、複数のスキャンラインにスキャン信号を順次供給する。これにより、データラインとスキャンラインとで定義される画素のゲート電極をＯＮ／ＯＦＦさせることができ、ディスプレイパネルに画像を映し出すことができる。
【０００６】
したがって、以前フレームの第２階調データと現在フレームの第１階調データとの比較を通じて補償階調データを生成してデータ駆動部へ供給することができるので、階調信号の変化を考慮して画素を制御することができる。このため、応答速度を高速化することができる。また、以前フレームの第２階調データと現在フレームの第１階調データとの比較を通じて補償階調データを生成するので、時間的に隣接するフレームについて階調データのビット毎のトグル数を減少させるように第１階調データ全体をメモリデータピンに入力する前に反転させることができるため、消費電力を低減してＥＭＩ発生を減少させることができる。この結果、消費電力を低減してＥＭＩ発生を減少させながら応答速度を向上することができる。
【０００７】
第２発明に係る表示装置は、第１発明の表示装置であって、タイミング制御部は、以前フレームの第２階調データと現在フレームの第１階調データとの比較を通じて、現在フレームの第１極性データを生成する。タイミング制御部は、現在フレームの第１極性データを考慮して、現在フレームの第１階調データをデコーディングする。表示装置は、メモリをさらに備える。メモリは、現在フレームの第１極性データとエンコーディングされた第１階調データとを記憶する。
【０００８】
この表示装置では、タイミング制御部が、現在フレームの第１階調データをエンコーディングする。タイミング制御部が、以前フレームの第２階調データと現在フレームの第１階調データとの比較を通じて、現在フレームの第１極性データを生成する。メモリが、現在フレームの第１極性データとエンコーディングされた第１階調データとを受け取ることができる。メモリが、現在フレームの第１極性データとエンコーディングされた現在フレームの第１階調データとを記憶する。タイミング制御部が、以前フレームのエンコーディングされた第２階調データを受け取ることができる。タイミング制御部が、以前フレームのエンコーディングされた第２階調データをデコーディングする。タイミング制御部が、現在フレームの第１極性データと現在フレームの第１階調データとを受け取ることができる。タイミング制御部が、現在フレームの第１極性データを考慮して、現在フレームの第１階調データをデコーディングする。
【０００９】
したがって、以前フレームの第２階調データと現在フレームの第１階調データとの比較を通じて現在フレームの第１極性データを生成するので、時間的に隣接するフレームについて階調データのビット毎のトグル数を減少させるために第１階調データ全体をメモリデータピンに入力する前に反転させたか否かを記憶することができる。また、タイミング制御部が現在フレームの第１極性データを考慮して現在フレームの第１階調データをデコーディングするので、第１階調データ全体をメモリデータピンに入力する前に反転させた場合にも、第１階調データを元のデータに戻すことができる。
【００１０】
第３発明に係る表示装置は、第２発明の表示装置であって、タイミング制御部は、第１階調データのうち第１Ｎビット階調データと第２Ｎビット階調データとの間で発生するトグル数を考慮して、第１極性データを生成する。第１Ｎビット階調データは、第１画素に相応する。第２Ｎビット階調データは、第２画素に相応する。第２画素は、第１画素に隣接する。
【００１１】
この表示装置では、タイミング制御部が、以前フレームの第２階調データと現在フレームの第１階調データとの比較を通じて、現在フレームの第１極性データを生成する。タイミング制御部が、第１階調データのうち第１Ｎビット階調データと第２Ｎビット階調データとの間で発生するトグル数を考慮して、第１極性データを生成する。
【００１２】
したがって、第１階調データのうち第１Ｎビット階調データと第２Ｎビット階調データとの間で発生するトグル数を考慮して第１極性データを生成するので、隣接する画素のトグル数が低減するように第１極性データを生成することができる。このため、隣接する画素のデータにおいて問題となるＥＭＩをさらに低減することができる。
【００１３】
第４発明に係る表示装置は、第３発明の表示装置であって、第１極性データは、全体トグル数が所定の臨界トグル数より大きいか同じであるとチェックされる場合に、第１レベルを有する。全体トグル数は、第１Ｎビット階調データと第２Ｎビット階調データとのトグル数の合計である。第１Ｎビット階調データは、第１画素に相応する。第２Ｎビット階調データは、第２画素に相応する。第２画素は、第１画素に隣接する画素である。第１極性データは、全体トグル数が臨界トグル数より小さいとチェックされる場合に、第２レベルを有する。
【００１４】
この表示装置では、タイミング制御部が、以前フレームの第２階調データと現在フレームの第１階調データとの比較を通じて、現在フレームの第１極性データを生成する。タイミング制御部が、第１階調データのうち第１Ｎビット階調データと第２Ｎビット階調データとの間で発生するトグル数を考慮して、第１極性データを生成する。第１極性データが、全体トグル数が所定の臨界トグル数より大きいか同じであるとチェックされる場合に、第１レベルを有する。第１極性データが、全体トグル数が臨界トグル数より小さいとチェックされる場合に、第２レベルを有する。
【００１５】
したがって、全体トグル数が所定の臨界トグル数以上である場合の第１極性データのレベルと全体トグル数が所定の臨界トグル数未満である場合の第１極性データのレベルとを異なるものとすることができるので、全体トグル数に応じて第１階調データ全体をメモリデータピンに入力する前に反転させるか否か決めることができる。また、時間的に隣接するフレームについて階調データのビット毎のトグル数を減少させるために第１階調データ全体をメモリデータピンに入力する前に反転させたか否かを区別して記憶することができる。
【００１６】
第５発明に係る表示装置は、第４発明の表示装置であって、タイミング制御部は、第１レベルの第１極性データが生成された場合に、第１Ｎビット階調データを反転させる。タイミング制御部は、第２レベルの第１極性データが生成された場合に、第１Ｎビット階調データを非反転させる。
【００１７】
この表示装置では、タイミング制御部が、以前フレームの第２階調データと現在フレームの第１階調データとの比較を通じて、現在フレームの第１極性データを生成する。タイミング制御部が、第１階調データのうち第１Ｎビット階調データと第２Ｎビット階調データとの間で発生するトグル数を考慮して、第１極性データを生成する。第１極性データが、全体トグル数が所定の臨界トグル数より大きいか同じであるとチェックされる場合に、第１レベルを有する。第１極性データが、全体トグル数が臨界トグル数より小さいとチェックされる場合に、第２レベルを有する。タイミング制御部が、第１レベルの第１極性データが生成された場合に、第１Ｎビット階調データを反転させる。タイミング制御部が、第２レベルの第１極性データが生成された場合に、第１Ｎビット階調データを非反転させる。
【００１８】
したがって、第１レベルの第１極性データが生成された場合と第２レベルの第１極性データが生成された場合とで第１Ｎビット階調データを反転させるか否かを変えることができるので、第１極性データのレベルに基づいて全体トグル数に応じて第１階調データ全体をメモリデータピンに入力する前に反転させるか否か決めることができる。
【００１９】
第６発明に係る表示装置は、第２発明の表示装置であって、メモリは、エンコーディングされた現在フレームの第１階調データとエンコーディングされた以前フレームの第２階調データとをフレーム単位に記憶する。
【００２０】
この表示装置では、メモリが、現在フレームの第１極性データとエンコーディングされた第１階調データとを受け取ることができる。メモリが、現在フレームの第１極性データとエンコーディングされた第１階調データとを記憶する。メモリが、以前フレームの第２階調データをさらに受け取ることができる。メモリが、エンコーディングされた現在フレームの第１階調データとエンコーディングされた以前フレームの第２階調データとをフレーム単位に記憶する。
【００２１】
したがって、現在フレームの第１階調データと以前フレームの第２階調データとをフレーム単位に記憶するので、以前フレームの第２階調データと現在フレームの第１階調データとの比較を通じて現在フレームの第１極性データを生成するようにすることができる。
【００２２】
第７発明に係る表示装置は、第６発明の表示装置であって、タイミング制御部は、以前フレームの第２極性データと以前フレームのエンコーディングされた第２階調データとをメモリから読み出す。タイミング制御部は、以前フレームの第２極性データを考慮して、以前フレームの第２階調データをデコーディングする。タイミング制御部は、現在フレームの第１階調データとデコーディングされた以前フレームの第２階調データとの比較を通じて、補償階調データを生成する。
【００２３】
この表示装置では、メモリが、現在フレームの第１極性データとエンコーディングされた第１階調データとを受け取ることができる。メモリが、現在フレームの第１極性データとエンコーディングされた第１階調データとを記憶する。メモリが、エンコーディングされた現在フレームの第１階調データとエンコーディングされた以前フレームの第２階調データとをフレーム単位に記憶する。タイミング制御部が、以前フレームの第２極性データと以前フレームのエンコーディングされた第２階調データとをメモリから読み出す。タイミング制御部が、以前フレームの第２極性データを考慮して、以前フレームの第２階調データをデコーディングする。タイミング制御部が、現在フレームの第１極性データと現在フレームの第１階調データとを受け取ることができる。タイミング制御部が、現在フレームの第１極性データを考慮して、現在フレームの第１階調データをデコーディングする。タイミング制御部が、以前フレームの第２階調データと現在フレームの第１階調データとの比較を通じて、現在フレームの第１階調データを補償して、補償階調データを生成する。タイミング制御部は、デコーディングされた以前フレームの第２階調データと現在フレームの第１階調データとの比較を通じて、補償階調データを生成する。
【００２４】
したがって、以前フレームの第２階調データと現在フレームの第１階調データとの比較を通じて補償階調データを生成してデータ駆動部へ供給することができるので、階調信号の変化を考慮して画素を制御することができる。このため、応答速度を高速化することができる。また、以前フレームの第２階調データと現在フレームの第１階調データとの比較を通じて補償階調データを生成するので、時間的に隣接するフレームについて階調データのビット毎のトグル数を減少させるように第１階調データ全体をメモリデータピンに入力する前に反転させることができるため、消費電力を低減してＥＭＩ発生を減少させることができる。この結果、消費電力を低減してＥＭＩ発生を減少させながら応答速度を向上することができる。
【００２５】
第８発明に係る表示装置は、第１発明の表示装置であって、タイミング制御部は、エンコーディング部とデコーディング部とスイッチング部とを有する。エンコーディング部は、画像信号ソースから現在フレームの第１階調データを受信して現在フレームの第１階調データをエンコーディングする。エンコーディング部は、第１階調データのうち第１Ｎビット階調データと第２Ｎビット階調データとの間で発生するトグル数を反映して第１極性データを生成する。第１Ｎビット階調データは、第１画素に相応する。第２Ｎビット階調データは、第２画素に相応する。第２画素は、第１画素に隣接する。デコーディング部は、第２極性データに基づいて、メモリに記憶された以前フレームのエンコーティングされた第２階調データをデコーディングする。第２極性データは、以前フレームの第２階調データに相応する。スイッチング部は、イネーブル信号に応答して、現在フレームのエンコーディングされた第１階調データと第１極性データとをメモリに出力する。スイッチング部は、イネーブル信号に応答して、メモリに記憶された以前フレームのエンコーディングされた第２階調データと第２極性データとをデコーディング部に出力する。
【００２６】
この表示装置では、タイミング制御部のエンコーディング部が、第１階調データのうち第１Ｎビット階調データと第２Ｎビット階調データとの間で発生するトグル数を反映して第１極性データを生成する。タイミング制御部のデコーディング部が、第２極性データに基づいて、メモリに記憶された以前フレームのエンコーティングされた第２階調データをデコーディングする。タイミング制御部のスイッチング部が、イネーブル信号に応答して、現在フレームのエンコーディングされた第１階調データと第１極性データとをメモリに出力する。タイミング制御部のスイッチング部が、イネーブル信号に応答して、メモリに記憶された以前フレームのエンコーディングされた第２階調データと第２極性データとをデコーディング部に出力する。
【００２７】
したがって、イネーブル信号に基づいてエンコーディングとデコーディングとの動作を制御することができる。
【００２８】
第９発明に係る表示装置は、第８発明の表示装置であって、イネーブル信号は、フレーム反転信号に基づいて生成される。
【００２９】
この表示装置では、イネーブル信号が、フレーム反転信号に基づいて生成される。タイミング制御部のスイッチング部が、イネーブル信号を受け取ることができる。タイミング制御部のスイッチング部が、イネーブル信号に応答して、現在フレームのエンコーディングされた第１階調データと第１極性データとをメモリに出力する。タイミング制御部のスイッチング部が、イネーブル信号に応答して、メモリに記憶された以前フレームのエンコーディングされた第２階調データと第２極性データとをデコーディング部に出力する。
【００３０】
したがって、イネーブル信号がフレーム反転信号に基づいて生成されるので、フレーム反転に同期してエンコーディングとデコーディングとの動作を制御することができる。
【００３１】
第１０発明に係る表示装置は、第８発明の表示装置であって、イネーブル信号は、ライン反転信号に基づいて生成される。
【００３２】
この表示装置では、イネーブル信号が、ライン反転信号に基づいて生成される。タイミング制御部のスイッチング部が、イネーブル信号を受け取ることができる。タイミング制御部のスイッチング部が、イネーブル信号に応答して、現在フレームのエンコーディングされた第１階調データと第１極性データとをメモリに出力する。タイミング制御部のスイッチング部が、イネーブル信号に応答して、メモリに記憶された以前フレームのエンコーディングされた第２階調データと第２極性データとをデコーディング部に出力する。
【００３３】
したがって、イネーブル信号がライン反転信号に基づいて生成されるので、ライン反転に同期してエンコーディングとデコーディングとの動作を制御することができる。
【００３４】
第１１発明に係る表示装置は、第８発明の表示装置であって、エンコーディング部は、トグルチェック部とトグル数チェック部とトグルカウンター部とを含む。トグルチェック部は、Ｎビットトグル有無データを出力する。Ｎビットトグル有無データは、第１Ｎビット階調データと第２Ｎビット階調データとの間で発生するビット別トグル数を反映している。トグルチェック部は、反転データによって第１Ｎビット階調データを反転又は非反転させてエンコーディングされた第３階調データをメモリに出力する。反転データは、第１Ｎビット階調データを反転させるべきか否かを示す。トグル数チェック部は、トグル有無データに応答して、トグル数合算信号を生成して出力する。トグル数合算信号は、ビット別トグル数の合算値を反映している。トグルカウンター部は、隣接ビット別トグル数が一定数より大きいか同じである場合に、第１レベルの第１極性データ又は第１レベルの第２極性データをメモリに出力し、第１レベルの反転データをトグルチェック部に出力する。トグルカウンター部は、隣接ビット別トグル数が一定数より小さい場合に、第２レベルの第１極性データ又は第２レベルの第２極性データをメモリに出力し、第２レベルの反転データをトグルチェック部に出力する。
【００３５】
この表示装置では、タイミング制御部のエンコーディング部のトグルチェック部が、以前フレームの階調データと現在フレームの階調データとを受け取り、第１Ｎビット階調データと第２Ｎビット階調データとの間で発生するビット別トグル数をチェックして、Ｎビットトグル有無データを生成することができる。タイミング制御部のエンコーディング部のトグルチェック部が、Ｎビットトグル有無データを出力する。タイミング制御部のエンコーディング部のトグル数チェック部が、トグル有無データを受け取ることができる。タイミング制御部のエンコーディング部のトグル数チェック部が、トグル有無データに応答して、トグル数合算信号を生成して出力する。タイミング制御部のエンコーディング部のトグルカウンター部が、トグル数合算信号を受け取ることができる。タイミング制御部のエンコーディング部のトグルカウンター部が、隣接ビット別トグル数が一定数より大きいか同じである場合に、第１レベルの第１極性データ又は第１レベルの第２極性データをメモリに出力し、第１レベルの反転データをトグルチェック部に出力する。タイミング制御部のエンコーディング部のトグルカウンター部が、隣接ビット別トグル数が一定数より小さい場合に、第２レベルの第１極性データ又は第２レベルの第２極性データをメモリに出力し、第２レベルの反転データをトグルチェック部に出力する。タイミング制御部のエンコーディング部のトグルチェック部が、反転データを受け取ることができる。タイミング制御部のエンコーディング部のトグルチェック部が、反転データによって第１Ｎビット階調データを反転又は非反転させてエンコーディングされた第３階調データをメモリに出力する。
【００３６】
したがって、第３階調データと第１極性データ又は第２極性データとがメモリに記憶されるようにすることができる。
【００３７】
第１２発明に係る表示装置は、第１１発明の表示装置であって、トグルチェック部は、第１Ｎビット階調データを１クロックシフトさせた第３Ｎビット階調データと第２Ｎビット階調データとの比較を通じて、トグル有無データを出力する。
【００３８】
この表示装置では、タイミング制御部のエンコーディング部のトグルチェック部が、以前フレームの階調データと現在フレームの階調データとを受け取り、第１Ｎビット階調データと第２Ｎビット階調データとの間で発生するビット別トグル数をチェックして、Ｎビットトグル有無データを生成することができる。トグルチェック部が、第１Ｎビット階調データを１クロックシフトさせた第３Ｎビット階調データと第２Ｎビット階調データとの比較を通じて、トグル有無データを出力する。タイミング制御部のエンコーディング部のトグルチェック部が、Ｎビットトグル有無データを出力する。
【００３９】
したがって、第３Ｎビット階調データと第２Ｎビット階調データとの比較を通じてトグル有無データを出力するので、トグル有無データを、時間的に隣接するフレームについての階調データのビット毎のトグル数についてのデータとすることができる。
【００４０】
第１３発明に係る表示装置は、第８発明の表示装置であって、タイミング制御部は、階調データ補正部をさらに有する。階調データ補正部は、以前フレームの第２階調データと現在フレームの第１階調データとの比較を通じて、現在フレームの第１階調データを補償して、補償階調データを生成する。タイミング制御部のデコーディング部は、エンコーディングされた第２階調データと第２極性データとの提供を受ける。タイミング制御部のデコーディング部は、第２極性データが第１レベルである場合、エンコーディングされた第２階調データを反転させて階調データ補正部へ出力する。タイミング制御部のデコーディング部は、第２極性データが第２レベルである場合、エンコーディングされた第２階調データを非反転させて階調データ補正部へ出力する。
【００４１】
この表示装置では、タイミング制御部のスイッチング部が、イネーブル信号に応答して、現在フレームのエンコーディングされた第１階調データと第１極性データとをメモリに出力する。タイミング制御部のスイッチング部が、イネーブル信号に応答して、メモリに記憶された以前フレームのエンコーディングされた第２階調データと第２極性データとをデコーディング部に出力する。タイミング制御部のデコーディング部が、エンコーディングされた第２階調データと第２極性データとの提供を受ける。タイミング制御部のデコーディング部が、第２極性データが第１レベルである場合、エンコーディングされた第２階調データを反転させて階調データ補正部へ出力する。タイミング制御部のデコーディング部が、第２極性データが第２レベルである場合、エンコーディングされた第２階調データを非反転させて階調データ補正部へ出力する。
【００４２】
したがって、イネーブル信号に基づいてデコーディングの動作を制御された際に、第２極性データのレベルに基づいてエンコーディングされた第２階調データを反転させるか否かを決めることができる。
【００４３】
第１４発明に係る表示装置の駆動装置は、複数の画素、複数のスキャンライン、及び複数のデータラインを含む表示装置の駆動装置において、タイミング制御部とデータ駆動部とを含む。タイミング制御部は、画像信号ソースから現在フレームの第１階調データを受信してエンコーディングする。タイミング制御部は、以前フレームのエンコーディングされた第２階調データをデコーディングする。タイミング制御部は、以前フレームの第２階調データと現在フレームの第１階調データとの比較を通じて、現在フレームの第１階調データを補償して補償階調データを生成する。データ駆動部は、補償階調データを用いてデータ信号を生成して複数のデータラインに供給する。
【００４４】
この表示装置の駆動装置では、タイミング制御部が、現在フレームの第１階調データをエンコーディングする。タイミング制御部が、以前フレームのエンコーディングされた第２階調データをデコーディングする。タイミング制御部が、以前フレームの第２階調データと現在フレームの第１階調データとの比較を通じて、現在フレームの第１階調データを補償して、補償階調データを生成する。データ駆動部が、補償階調データを受け取ることができる。データ駆動部が、補償階調データを用いてデータ信号を生成してディスプレイパネルのデータラインに供給する。スキャン駆動部が、複数のスキャンラインにスキャン信号を順次供給することができる。これにより、データラインとスキャンラインとで定義される画素のゲート電極をＯＮ／ＯＦＦさせることができ、ディスプレイパネルに画像を映し出すことができる。
【００４５】
したがって、以前フレームの第２階調データと現在フレームの第１階調データとの比較を通じて補償階調データを生成してデータ駆動部へ供給することができるので、階調信号の変化を考慮して画素を制御することができる。このため、応答速度を高速化することができる。また、以前フレームの第２階調データと現在フレームの第１階調データとの比較を通じて補償階調データを生成するので、時間的に隣接するフレームについて階調データのビット毎のトグル数を減少させるように第１階調データ全体をメモリデータピンに入力する前に反転させることができるため、消費電力を低減してＥＭＩ発生を減少させることができる。この結果、消費電力を低減してＥＭＩ発生を減少させながら応答速度を向上することができる。
【００４６】
第２０発明に係る表示装置の駆動方法は、複数のスキャンライン及び複数のデータラインを含む表示装置の駆動方法において、第１ステップと第２ステップと第３ステップとを含む。第１ステップでは、現在フレームの第１階調データがエンコーディングされる。第２ステップでは、以前フレームのエンコーディングされた第２階調データがデコーディングされる。第２ステップでは、以前フレームの第２階調データと現在フレームの第１階調データとの比較を通じて、現在フレームの第１階調データが補償されて補償階調データが生成される。第３ステップでは、補償階調データを用いてデータ電圧が生成されてデータラインに供給される。
【００４７】
この表示装置の駆動方法では、第１ステップにおいて、現在フレームの第１階調データがエンコーディングされる。第２ステップにおいて、以前フレームのエンコーディングされた第２階調データがデコーディングされる。第３ステップにおいて、以前フレームの第２階調データと現在フレームの第１階調データとの比較を通じて、現在フレームの第１階調データが補償されて、補償階調データが生成される。補償階調データを用いてデータ信号を生成してデータラインに供給することができる。複数のスキャンラインにスキャン信号を順次供給することができる。これにより、データラインとスキャンラインとで定義される画素のゲート電極をＯＮ／ＯＦＦさせることができ、表示装置に画像を映し出すことができる。
【００４８】
したがって、以前フレームの第２階調データと現在フレームの第１階調データとの比較を通じて補償階調データを生成してデータ駆動部へ供給することができるので、階調信号の変化を考慮して画素を制御することができる。このため、応答速度を高速化することができる。また、以前フレームの第２階調データと現在フレームの第１階調データとの比較を通じて補償階調データを生成するので、時間的に隣接するフレームについて階調データのビット毎のトグル数を減少させるように第１階調データ全体をメモリデータピンに入力する前に反転させることができるため、消費電力を低減してＥＭＩ発生を減少させることができる。この結果、消費電力を低減してＥＭＩ発生を減少させながら応答速度を向上することができる。
【発明の効果】
【００４９】
第１発明に係る表示装置では、以前フレームの第２階調データと現在フレームの第１階調データとの比較を通じて補償階調データを生成してデータ駆動部へ供給することができるので、階調信号の変化を考慮して画素を制御することができる。このため、応答速度を高速化することができる。また、以前フレームの第２階調データと現在フレームの第１階調データとの比較を通じて補償階調データを生成するので、時間的に隣接するフレームについて階調データのビット毎のトグル数を減少させるように第１階調データ全体をメモリデータピンに入力する前に反転させることができるため、消費電力を低減してＥＭＩ発生を減少させることができる。この結果、消費電力を低減してＥＭＩ発生を減少させながら応答速度を向上することができる。
【００５０】
第２発明に係る表示装置置では、以前フレームの第２階調データと現在フレームの第１階調データとの比較を通じて現在フレームの第１極性データを生成するので、時間的に隣接するフレームについて階調データのビット毎のトグル数を減少させるために第１階調データ全体をメモリデータピンに入力する前に反転させたか否かを記憶することができる。また、タイミング制御部が現在フレームの第１極性データを考慮して現在フレームの第１階調データをデコーディングするので、第１階調データ全体をメモリデータピンに入力する前に反転させた場合にも、第１階調データを元のデータに戻すことができる。
【００５１】
第３発明に係る表示装置では、第１階調データのうち第１Ｎビット階調データと第２Ｎビット階調データとの間で発生するトグル数を考慮して第１極性データを生成するので、隣接する画素のトグル数が低減するように第１極性データを生成することができる。このため、隣接する画素のデータにおいて問題となるＥＭＩをさらに低減することができる。
【００５２】
第４発明に係る表示装置では、全体トグル数が所定の臨界トグル数以上である場合の第１極性データのレベルと全体トグル数が所定の臨界トグル数未満である場合の第１極性データのレベルとを異なるものとすることができるので、全体トグル数に応じて第１階調データ全体をメモリデータピンに入力する前に反転させるか否か決めることができる。また、時間的に隣接するフレームについて階調データのビット毎のトグル数を減少させるために第１階調データ全体をメモリデータピンに入力する前に反転させたか否かを区別して記憶することができる。
【００５３】
第５発明に係る表示装置では、第１レベルの第１極性データが生成された場合と第２レベルの第１極性データが生成された場合とで第１Ｎビット階調データを反転させるか否かを変えることができるので、第１極性データのレベルに基づいて全体トグル数に応じて第１階調データ全体をメモリデータピンに入力する前に反転させるか否か決めることができる。
【００５４】
第６発明に係る表示装置では、現在フレームの第１階調データと以前フレームの第２階調データとをフレーム単位に記憶するので、以前フレームの第２階調データと現在フレームの第１階調データとの比較を通じて現在フレームの第１極性データを生成するようにすることができる。
【００５５】
第７発明に係る表示装置では、以前フレームの第２階調データと現在フレームの第１階調データとの比較を通じて補償階調データを生成してデータ駆動部へ供給することができるので、階調信号の変化を考慮して画素を制御することができる。このため、応答速度を高速化することができる。また、以前フレームの第２階調データと現在フレームの第１階調データとの比較を通じて補償階調データを生成するので、時間的に隣接するフレームについて階調データのビット毎のトグル数を減少させるように第１階調データ全体をメモリデータピンに入力する前に反転させることができるため、消費電力を低減してＥＭＩ発生を減少させることができる。この結果、消費電力を低減してＥＭＩ発生を減少させながら応答速度を向上することができる。
【００５６】
第８発明に係る表示装置では、イネーブル信号に基づいてエンコーディングとデコーディングとの動作を制御することができる。
【００５７】
第９発明に係る表示装置では、イネーブル信号がフレーム反転信号に基づいて生成されるので、フレーム反転に同期してエンコーディングとデコーディングとの動作を制御することができる。
【００５８】
第１０発明に係る表示装置では、イネーブル信号がライン反転信号に基づいて生成されるので、ライン反転に同期してエンコーディングとデコーディングとの動作を制御することができる。
【００５９】
第１１発明に係る表示装置では、第３階調データと第１極性データ又は第２極性データとがメモリに記憶されるようにすることができる。
【００６０】
第１２発明に係る表示装置では、第３Ｎビット階調データと第２Ｎビット階調データとの比較を通じてトグル有無データを出力するので、トグル有無データを、時間的に隣接するフレームについての階調データのビット毎のトグル数についてのデータとすることができる。
【００６１】
第１３発明に係る表示装置では、イネーブル信号に基づいてデコーディングの動作を制御された際に、第２極性データのレベルに基づいてエンコーディングされた第２階調データを反転させるか否かを決めることができる。
【００６２】
第１４発明に係る表示装置の駆動装置では、以前フレームの第２階調データと現在フレームの第１階調データとの比較を通じて補償階調データを生成してデータ駆動部へ供給することができるので、階調信号の変化を考慮して画素を制御することができる。このため、応答速度を高速化することができる。また、以前フレームの第２階調データと現在フレームの第１階調データとの比較を通じて補償階調データを生成するので、時間的に隣接するフレームについて階調データのビット毎のトグル数を減少させるように第１階調データ全体をメモリデータピンに入力する前に反転させることができるため、消費電力を低減してＥＭＩ発生を減少させることができる。この結果、消費電力を低減してＥＭＩ発生を減少させながら応答速度を向上することができる。
【００６３】
第２０発明に係る表示装置の駆動方法では、以前フレームの第２階調データと現在フレームの第１階調データとの比較を通じて補償階調データを生成してデータ駆動部へ供給することができるので、階調信号の変化を考慮して画素を制御することができる。このため、応答速度を高速化することができる。また、以前フレームの第２階調データと現在フレームの第１階調データとの比較を通じて補償階調データを生成するので、時間的に隣接するフレームについて階調データのビット毎のトグル数を減少させるように第１階調データ全体をメモリデータピンに入力する前に反転させることができるため、消費電力を低減してＥＭＩ発生を減少させることができる。この結果、消費電力を低減してＥＭＩ発生を減少させながら応答速度を向上することができる。
【発明を実施するための最良の形態】
【００６４】
以下では、添付図面を参照して、本発明をより詳細に説明する。
【００６５】
液晶の応答速度を高速化するためのアプローチのうち、回路的なアプローチは、現在フレームの目標画素電圧と以前フレームの画素電圧とを考慮して、補償データ電圧を印加することにより、画素電圧がすぐ目標電圧に到達するようにする方式である。
【００６６】
具体的に、現在フレームの目標電圧と以前フレームの画素電圧が相違する場合には、現在フレームの目標電圧より高い電圧を、補償されたデータ電圧として印加して現在フレームの画像を表示する場合にすぐ目標電圧レベルに到達するようにする。
以後のフレームでは、目標電圧をデータ電圧に印加する方式を通じて、液晶の応答速度を同様に改善することができる。この際、補償データ電圧（即ち、電荷量）は、以前フレームの画素電圧により決定される液晶キャパシタンスを考慮して決定される。即ち、以前フレームの画素電圧レベルを考慮して電荷量を供給することにより、現在フレームの画像を表示する場合にすぐ目標画素電圧レベルに到達するようにすることができる。
【００６７】
図１は、一般的な階調データ補正部の一例を説明するための図である。
【００６８】
図１を参照すると、階調データ補正部（波線で囲った部分）は、フレームメモリ１０、コントローラー２０、及び階調データ変換部３０を含む。階調データ補正部（波線で囲った部分）は、原始階調データを、液晶の応答速度を高速化するために補正した後、液晶モジュール（図示せず）のデータ駆動部（図示せず）に提供する。液晶モジュール（図示せず）は、２つの基板間に形成された液晶層を有する液晶パネル（図示せず）と、液晶パネル（図示せず）のスキャンライン（図示せず）を活性化するスキャン信号を提供するデータ駆動部（図示せず）と、液晶パネルのデータライン（図示せず）にデータ電圧を提供するデータ駆動部（図示せず）とを含む。
フレームメモリ１０は、コントローラー２０の制御により所定アドレスに記憶されている以前フレームの階調データＧｎ−１を階調データ変換部３０に出力すると共に、外部の画像信号ソースから伝送される現在フレームの階調データＧｎを所定のアドレスに記憶する。例えば、階調データは２４ビットであって、Ｒ（Ｒｅｄ）、Ｇ（Ｇｒｅｅｎ）、Ｂ（Ｂｌｕｅ）それぞれに対応する８ビットの階調データである。
【００６９】
階調データ変換部３０は、現在フレームの階調データＧｎとフレームメモリ１０から出力される以前フレームの階調データＧｎ−１とを受信し、現在フレームの階調データＧｎと以前フレームの階調データＧｎ−１とを考慮して補償された階調データＧｎ’を生成する。
【００７０】
例えば、階調データ変換部３０は、ＲＯＭ（Ｒｅａｄ  Ｏｎｌｙ  Ｍｅｍｏｒｙ）を有する。ＲＯＭには、１つのルックアップテーブルが記憶されている。ルックアップテーブルは、画像信号ソースから提供されるＲＧＢデータに対応するビットと同じサイズの補償データを記憶する。特に、補償データ電圧Ｖｎ’が単に以前フレームのデータ電圧Ｖｎ−１と現在フレームのデータ電圧Ｖｎとの差にのみ比例することなくそれぞれの絶対値にも依存する複雑な関数なので、階調データ変換部３０がルックアップテーブルを記憶していることにより、ルックアップテーブルを用いずに演算処理する場合よりも階調データ変換部３０の回路が簡単になるという長所がある。
このように液晶の応答速度を高速化するために、１つのフレームだけの階調データを記憶するためのフレームメモリ１０を用いる。例えば、フレームメモリ１０はタイミング制御部（図示せず）とは別に備えられている。例えば、フレームメモリ１０としては、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）又はＤＤＲ（Ｄｏｕｂｌｅ  Ｄａｔａ  Ｒａｔｅ）ＳＤＲＡＭを用いることが可能である。
【００７１】
しかし、フレームメモリ１０の使用によって、タイミング制御部（図示せず）とのインターフェースのための別のメモリデータピン（図示せず）が追加され、メモリデータピン（図示せず）によってビット別隣接データ間トグル数が増加し、データピン（図示せず）から放出される電流量が増加する。即ち、２４ビットデータ入出力のためのメモリデータピンが２４個である場合、２４個のデータピンで同時にトグルが行われると、隣接データピン間に上昇エッジ（ｒｉｓｉｎｇ  ｅｄｇｅ）から下降エッジ（ｆａｌｌｉｎｇ  ｅｄｇｅ）に、又は下降エッジから上昇エッジへのトグル（ｔｏｇｇｌｅ）による電流変化量の増加によるＥＭＩが発生する。また、前記した電流増加によって、消費電力が増加し、ＥＭＩが発生する。
例えば、階調データを２４ビットと仮定した時、ビット別隣接データ間のトグル数によって、最大２４ビットの電流変化量が異なることになるので、トグル数を減少させることがＥＭＩと消費電力減少方法うちの一つの方案である。もちろん、階調データのビット数が増加するほど、トグル数も増加することは当然であり、電流増加や、消費電力の増加、ＥＭＩ発生増加等も当然である。
【００７２】
図２は、本発明による液晶表示装置を説明するための図である。
【００７３】
図２を参照すると、本発明による液晶表示装置は、液晶パネル１００、スキャン駆動部２００、データ駆動部３００、フレームメモリ４００、及びタイミング制御部５００を含む。ここで、スキャン駆動部２００、データ駆動部３００、フレームメモリ４００、及びタイミング制御部５００は、外部の画像信号ソースから提供される階調データを液晶パネル１００に適合するように変換して出力することにより、液晶表示装置の駆動装置として動作を行う。
液晶パネル１００には、ゲートオン信号を伝達するための多数のスキャンライン（走査ライン又はスキャンライン）Ｇｑが形成されており、補償されたデータ電圧を伝達するためのデータライン（又はソースライン）Ｄｐが形成されている。複数のスキャンラインＧｑと複数のデータラインＤｐによって囲まれた領域は、それぞれ画素を構成する。各画素は、スキャンラインＧｑとデータラインＤｐにそれぞれゲート電極及びソース電極が連結される薄膜トランジスタ１１０を含む。等価回路で示すと、薄膜トランジスタ１１０のドレーン電極に連結される液晶キャパシタＣ１ｃと、ストレージキャパシタＣｓｔとを含む。
【００７４】
スキャン駆動部２００は、スキャンラインＧｑに順次ゲートオン電圧Ｓ１、Ｓ２、Ｓ３、．．．、Ｓｎを印加することにより、ゲートオン電圧が印加されたスキャンラインＧｑにゲート電極が連結されている薄膜トランジスタ１１０をターンオンさせる。
データ駆動部３００は、タイミング制御部５００から受け取った補償階調データＧｎ’を該当階調電圧（データ電圧）に変換したデータ信号（Ｄ１、Ｄ２、．．．、Ｄｍ）をそれぞれデータラインに印加する。
【００７５】
タイミング制御部５００は、データ遷移最小化部５１０、コントローラー５２０、及び階調データ補正部５３０を含む。タイミング制御部５００は、外部のグラフィックコントローラーのような画像信号ソースから受信された現在フレームの原始階調データＧｎをエンコーディングして、フレームメモリ４００に記憶する。また、タイミング制御部５００は、フレームメモリ４００に記憶された以前フレームのエンコードされた原始階調データＧｎ−１をデコーディングして、以前フレームの原始階調データＧｎ−１と現在フレームの原始階調データＧｎとの比較を通じて、補償階調データＧ’ｎを生成してデータ駆動部３００に出力する。
具体的には、データ遷移最小化部５１０が、画像信号ソースから現在フレームの原始階調データＧｎを受信し、現在フレームの原始階調データＧｎをエンコーディングしてフレームメモリ４００に記憶する。また、データ遷移最小化部５１０が、フレームメモリ４００に記憶された以前フレームのエンコードされた原始階調データをデコーディングした信号Ｇｎ−１を階調データ補正部５３０に提供する。この際、エンコーディング動作やデコーディング動作は、フレームメモリ４００とタイミング制御部５００との間のメモリデータピンによって誘発されるトグル数増加を低減させるためのものであって、これに対する詳細な説明は後述する。
【００７６】
コントローラー５２０は、同期信号Ｓｙｎｃに応答してフレームメモリ４００の所定アドレスにエンコードされた階調データが記憶されることを制御し、フレームメモリ４００に記憶されているエンコードされた階調データの出力を制御する。
階調データ補正部５３０は、画像信号ソースから現在フレームの原始階調データＧｎを受信し、現在フレームの原始階調データＧｎと以前フレームの原始階調データＧｎ−１とを考慮して現在フレームの補償階調データＧｎ’を出力する。
【００７７】
即ち、以前フレームの原始階調データＧｎ−１と現在フレームの原始階調データＧｎとが同じ場合には、階調データ補正部５３０が補償を行わない。一方、以前フレームの原始階調データＧｎ−１がブラック階調に対応し、現在フレームの原始階調データＧｎが明るい階調又はホワイト階調に対応する階調である場合には、階調データ補正部５３０が、ブラック階調よりは高い階調が形成されるように以前フレームの原始階調データを補償して補償階調データＧｎ’を出力する。
具体的には、現在フレームの原始階調データＧｎと以前フレームの原始階調データＧｎ−１との比較を通じて、オーバーシュート波形形成のための補償階調データＧｎ’を出力することにより、液晶の応答速度を高速化することが可能である。
【００７８】
以上では、液晶の応答速度を高速化するデータ遷移最小化部５１０、コントローラー５２０、及び階調データ補正部５３０をタイミング制御部５００に具備することを図示したが、それぞれをスタンドアローンタイプ（Ｓｔａｎｄ  ａｌｏｎｅ  ｔｙｐｅ）にしてタイミング制御部５００の入力端や出力端に具備するようにしてもよい。
また、以上では、デジタルインターフェースを具備して、外部からデジタル値である階調データの提供を受ける液晶表示装置を主に説明したが、当業者なら外部から提供されるアナログ値をデジタル値に変換するインターフェースを具備するアナログ液晶表示装置にも同様に適用することができるのは自明である。
【００７９】
図３は、前記した図２のデータ遷移最小化部５１０とフレームメモリ４００を説明するための図である。
【００８０】
図２及び図３を参照すると、本発明によるデータ遷移最小化部５１０は、エンコーディング部５１２、スイッチング部５１４、及びデコーディング部５１６を含み、画像信号ソースから提供される２４ビットの階調データをエンコーディングしてフレームメモリ４００に提供し、フレームメモリ４００から既に記憶された階調データを抽出して、液晶の応答速度を高速化するために具備される階調データ補正部５３０に提供する。
エンコーディング部５１２は、画像信号ソースから現在フレームの２４ビットの階調データＧｎを受信し、現在フレームの原始階調データＧｎをエンコーディングし、エンコーディングによって１ビットの極性データ（ＤＰＯＬ、図４参照）を生成し、エンコードされた原始階調データＧｎと極性データ（ＤＰＯＬ、図４参照）をスイッチング部５１４に提供する。
【００８１】
スイッチング部５１４は、イネーブル信号ＥＮに応答して現在フレームの２４ビットのエンコードされた原始階調データＧｎと１ビットの極性データ（ＤＰＯＬ、図４参照）をフレームメモリ４００に出力し、フレームメモリ４００に記憶された以前フレームの２４ビットのエンコードされた原始階調データＧｎ−１と１ビットの極性データ（ＤＰＯＬ、図４参照）をデコーディング部５１６に出力する。例えば、イネーブル信号ＥＮは、フレーム反転信号又はライン反転信号に基づいて生成される。
【００８２】
デコーディング部５１６は、１ビットの極性データ（ＤＰＯＬ、図４参照）の「０」又は「１」のビット値に基づいて、フレームメモリ４００に記憶された以前フレームの２４ビットのエンコードされた原始階調データＧｎ−１をデコーディングし、デコードされた原始階調データＧｎ−１を階調データ補正部５３０に提供する。例えば、極性データ（ＤＰＯＬ、図４参照）のビット値が「０」である場合、フレームメモリ４００に記憶された以前フレームの２４ビットのエンコードされた原始階調データＧｎ−１をデコーディング時に非反転させ、極性データ（ＤＰＯＬ、図４参照）のビット値が「１」である場合、フレームメモリ４００に記憶された以前フレームの２４ビットのエンコードされた原始階調データＧｎ−１をデコーディング時に反転させる。図４は、図３に図示されたエンコーディング部の一例を説明するための図である。
図４を参照すると、本発明によるエンコーディング部５１２は、トグルチェック部１２２、トグル数チェック部１２４、及びトグルカウンター部１２６を含む。エンコーディング部５１２は、外部の画像信号ソースＨｏｓｔから現在フレームの２４ビットの原始階調データＧｎを受信し、現在フレームの原始階調データＧｎをエンコーディングして２４ビットのエンコードされた原始階調データＤＡＴＡ  ＯＵＴをフレームメモリ４００に出力する。また、エンコーディング部５１２は、エンコーディング時に隣接データビットとのトグル数を反映して１ビットの極性データＤＰＯＬを生成してフレームメモリ４００に出力する。
【００８３】
トグルチェック部１２２は、２４ビットの現在フレームの原始階調データ（例えば、ｉ番目原始階調データ）と２４ビットの以前フレームの原始階調データ（例えば、ｉ−１番目原始階調データ）との間のビット別トグル有無をチェックして、２４ビットのトグル有無データＴＧ_ＤＡＴＡをトグル数チェック部１２４に出力する。
【００８４】
また、トグルチェック部１２２は、反転データＤ_ＩＮＶによって、現在フレームの原始階調データＧｎを反転又は非反転させてエンコードされた原始階調データＤＡＴＡ  ＯＵＴをフレームメモリ４００に出力する。
【００８５】
例えば、トグル有無データＴＧ_ＤＡＴＡは、現在フレームの原始階調データＧｎを構成する２４ビットと以前フレームの原始階調データＧｎ−１を構成する２４ビットとについて、排他的ＯＲ（Ｅｘｃｌｕｓｉｖｅ  ＯＲ）演算を通じて算出される。即ち、トグル有無データＴＧ_ＤＡＴＡのｎ番目のビットは、現在フレームの原始階調データＧｎの２４ビットのうちｎ番目のビット値と以前フレームの原始階調データの２４ビットのうちｎ番目のビット値とが互いに異なる値である場合に、「１」の値となる。
【００８６】
例えば、極性データＤＰＯＬは、Ｎ（例えば、Ｎは８）ビット階調データのうち、第１画素に相応する第１Ｎビット階調データと、第１画素に隣接する第２画素に相応する第２Ｎビット階調データとの間で発生するトグル数を反映して生成する。例えば、トグルチェック部１２２は、第１Ｎビット階調データを一つクロックサイクルだけシフトさせた第３Ｎビット階調データと第２Ｎビット階調データとの比較を通じてトグル有無データを出力することができる。
トグル数チェック部１２４は、トグル有無データＴＧ_ＤＡＴＡを構成する２４ビット値を合算して、５ビットのトグル数合算信号ＳＵＭ_ＴＧをトグルカウンター部１２６に出力する。即ち、２４ビットを全部合算しても最大が２４であって、５ビットでも充分に表現が可能である。
【００８７】
トグルカウンター部１２６は、ビット別トグル数の合算値が所定の臨界トグル数より大きいか同じであることをトグル有無データＴＧ_ＤＡＴＡが示している場合に、ハイレベル「１」の極性データＤＰＯＬをフレームメモリ４００に出力し、ハイレベルの反転データＤ_ＩＮＶをトグルチェック部１２２に出力する。また、トグルカウンター部１２６は、ビット別トグル数の合算値が臨界トグル数より小さいことをトグル有無データＴＧ_ＤＡＴＡが示している場合に、ローレベル「０」の極性データＤＰＯＬをフレームメモリ４００に出力し、ローレベルの反転データＤ_ＩＮＶをトグルチェック部１２２に出力する。
【００８８】
以下では前記したエンコーディング部の動作を、図５に示すフローチャートを参照して説明する。
図５は、本発明によるエンコーディング部の動作を説明するためのフローチャートである。
【００８９】
図５を参照すると、まず初期第１クロック区間に対応する階調データの入力の可否をチェックする（ステップＳ１００）。
【００９０】
ステップＳ１００において、初期第１クロック区間に相応する第１階調データが入力される場合には、初期第１クロック区間に相応する第１階調データ単独にトグル数をチェックする（ステップＳ１０５）。例えば、８ビットの階調データが初期値「００００  ００００」値から「１１１１  １１１１」値を有するように入力される場合には、トグル数が８になる。
【００９１】
その後、チェックされたトグル数が臨界トグル数より大きいか、同じであるかをチェックして（ステップＳ１１０）、チェックされたトグル数が臨界トグル数より大きいか同じであるとチェックされる場合には、第１階調データを反転させて第２階調データを出力し、第１階調データの反転を示すハイレベルの極性データを出力する（ステップＳ１１５）。例えば、ＲＧＢそれぞれの階調データが８ビットで構成される場合には、臨界トグル数は５になる。
ステップＳ１１０で、チェックされるトグル数が臨界トグル数より小さいとチェックされる場合には、第１階調データを反転せず、第２階調データに出力し、第１階調データの非反転を示すローレベルの極性データを出力する（ステップＳ１２０）。
【００９２】
ステップＳ１１５とステップＳ１２０に続けて、初期第１クロック区間に後続する第２クロック区間に相応する第３階調データが入力されるか否かをチェックして（ステップＳ１２５）、第２クロック区間に相応する第３階調データが入力されないとチェックされる場合には終了する。第２クロック区間に相応する第３階調データが入力されるとチェックされる場合には、先に出力された第２階調データと入力された第３階調データ間のトグル数をチェックする（ステップＳ１３０）。
その後、チェックされたトグル数が臨界トグル数より大きいか同じであるかをチェックして（ステップＳ１３５）、チェックされたトグル数が臨界トグル数より大きいか同じであるとチェックされる場合には、入力された第３階調データを反転させて第４階調データに出力し、ハイレベルの極性データを出力した後（ステップＳ１４０）、ステップＳ１２５にフィードバックし、チェックされたトグル数が臨界トグル数より小さいとチェックされる場合には、入力された第３階調データを反転せず、第４階調データに出力し、ローレベルの極性データを出力した後、ステップＳ１２５にフィードバックする（ステップＳ１４５）。
【００９３】
図６及び図７は、本発明によるエンコーディング部の動作を説明するための波形図であって、特に図６は、データ遷移最小化（Ｄａｔａ  Ｔｒａｎｓｉｔｉｏｎ  Ｍｉｎｉｍｉｚａｔｉｏｎ、以下、ＤＴＭ）処理前の階調データの波形図であり、図７は、ＤＴＭ処理後の階調データの波形図である。以下、８ビットの階調データが入力され、臨界トグル数が５個である場合、データを反転させると仮定してＤＴＭ処理を説明する。
図６に示したように、まず、１番目のトグル時点Ｔ１で、入力階調データＤＡＴＡ［７］、ＤＡＴＡ［６］、．．．、ＤＡＴＡ［０］は、［００００_００００］から［１１１１_１１１１］に遷移されるので、第１トグル数は８である。この際、第１トグル数は、臨界トグル数５より大きいので、ＤＴＭ処理され、図７に示したように、［１１１１_１１１１］を［００００_００００］に反転すると共に、極性データＤＰＯＬは、階調データの反転を知らせるためにハイレベルに遷移される。
【００９４】
一方、２番目のトグル時点Ｔ２で、以前フレームの階調データがＤＴＭ処理されたので、ＤＴＭ処理された階調データである［００００_００００］と、入力される階調データである［１１１０_００００］と比較すると、第２トグル数は３である。この際、第２トグル数は、臨界トグル数より小さいので、ＤＴＭ処理なしに、即ち、階調データの反転なしに、入力される階調データである［１１１０_００００］をそのまま出力すると共に、極性データＤＰＯＬは、階調データの非反転を示すようにローレベルに遷移される。
一方、３番目のトグル時点Ｔ３で、以前フレームの階調データがＤＴＭ処理されなかったので、ＤＴＭ処理されない階調データである[１１１０_００００]と入力される階調データである[１１１１_１１１１]と比較すると、第３トグル数は５である。この際、第３トグル数は、臨界トグル数と同じなので、ＤＴＭ処理され、入力される階調データである[１１１１_１１１１]を[００００_００００]に反転すると共に、極性データＤＰＯＬは階調データが反転されたことを知らせるためにハイレベルに遷移される。
【００９５】
このように、ＤＴＭ処理されない図６の入力階調データと共にＤＴＭ処理された図７の階調データ及び極性データＤＰＯＬを観察すると、部分的に階調データ値が同じであるのを確認することができる。
以上では、入力される階調データをＤＴＭ処理して、ＤＴＭ処理データと極性データＤＰＯＬとを出力する一連のエンコーディング過程を説明したが、ＤＴＭ処理データと極性データＤＰＯＬとを用いてデコーディングするようにしてもよい。
【００９６】
即ち、極性データＤＰＯＬがハイレベルである場合には、ＤＴＭ処理された階調データを反転させ出力して、極性データＤＰＯＬがローレベルである場合には、ＤＴＭ処理された階調データを非反転させ出力することによりデコーディングすることができる。
【００９７】
図８は、図２に示されたタイミング制御部５００の他の例を説明するための図である。
図８を参照すると、本発明の他の例によるタイミング制御部５００は、合成部５５０、データ遷移最小化部５６０、コントローラー５７０、階調データ補正部５８０、及び分離部５９０を含む。
【００９８】
タイミング制御部５００は、外部のグラフィックコントローラーのような画像信号ソースから現在フレームの原始階調データＧｎを受信してエンコーディングしてフレームメモリ４００に記憶させる。また、タイミング制御部５００は、フレームメモリ４００に記憶された以前フレームのエンコードされた原始階調データＧｎ−１をデコーディングして、現在フレームの原始階調データＧｎとの比較を通じて、補償階調データＧｎ’を生成してデータ駆動部３００に出力する。
具体的には、合成部５５０は、外部の画像信号ソースから伝送されるＲ（Ｒｅｄ）、Ｇ（Ｇｒｅｅｎ）、Ｂ（Ｂｌｕｅ）それぞれに対応する８ビットの原始階調データ、即ち、総２４ビットの原始階調データＧｎを受信し、階調データ補正部５８０が処理することができる速度で原始階調データストリームのサンプリングレート（ｓａｍｐｌｉｎｇ  ｒａｔｅ）を変換する。例えば、外部の画像信号ソースから２４ビットの原始階調データが６５ＭＨｚ周波数に同期して受信され、階調データ補正部５８０の処理速度について５０ＭＨｚが限界とすると、合成部５５０は、原始階調データストリームのサンプリングレート６５ＭＨｚを５０ＭＨｚにダウンサンプリングするダウンサンプラー（ｄｏｗｎ  ｓａｍｐｌｅｒ又はｄｅｃｉｍａｔｏｒ）になる。
【００９９】
また、この場合、例えば、合成部５５０は、２４ビットの階調データを２個ずつ括って４８ビットの階調データＧｍを合成してフレームメモリ４００に伝送してもよい。ここで、合成部５５０は、画像信号ソースから２４ビットの階調データを同時に受信してもよいし、８ビットのＲ階調データと８ビットのＧ階調データと８ビットのＢ階調データとのそれぞれを順次受信してもよい。以下では、合成部５５０が２４ビットの階調データを２個ずつ括って４８ビットの階調データＧｍに合成してフレームメモリ４００に伝送する場合について説明する。
データ遷移最小化部５６０は、合成部５５０から現在フレームの４８ビットの階調データＧｍを受信し、フレームメモリ４００に記憶された以前フレームの極性データＤＰＯＬに基づいて以前フレームのエンコードされた原始階調データをデコーディングして、４８ビットの階調データＧｍ−１を階調データ補正部５８０に提供する。また、データ遷移最小化部５６０は、受信される現在フレームの４８ビットの階調データＧｍをエンコーディングしてエンコードされた階調データと極性データＤＰＯＬを含む４９ビットのデータをフレームメモリ４００に記憶する。
【０１００】
コントローラー５７０は、同期信号ｓｙｎｃに応答して前記フレームメモリ４００の所定アドレスにエンコードされた階調データ及び極性データＤＰＯＬが記憶されることを制御し、フレームメモリ４００に記憶されているエンコードされた階調データと極性データＤＰＯＬとの出力を制御する。
【０１０１】
階調データ補正部５８０は、合成部５５０から階調データＧｍを受信し、現在フレームの階調データＧｍと以前フレームの階調データＧｍ−１とを考慮して、液晶の応答速度を高速化するために、４８ビットの補償された階調データＧｍ’を分離部５９０に出力する。
分離部５９０は、階調データ補正部５８０から出力される補償された４８ビットの階調データＧｍ’を分離して、２４ビットの補償された階調データＧｎ’を出力する。
【０１０２】
即ち、階調データ補正部５８０は、以前フレームの原始階調データＧｍ−１と現在フレームの原始階調データＧｍとが同じ場合に補償しない。階調データ補正部５８０は、以前フレームの原始階調データＧｍ−１がブラック階調に対応し、現在フレームの原始階調データＧｍが明るい階調又はホワイト階調に対応する階調である場合に、ホワイト階調よりは高い階調が形成されるように補償階調データＧｎ’を出力する。
【０１０３】
具体的には、現在フレームの原始階調データＧｍと以前フレームの原始階調データＧｍ−１との比較を通じて、オーバーシュート波形形成のための補償階調データＧｎ’を出力することにより、液晶の応答速度を高速化することが可能である。
前述した合成部５５０や分離部５９０をタイミング制御部５００に具備して、入力される階調データを分周させることにより、液晶パネル１００の左側領域と右側領域とのそれぞれに別の補償階調データを提供することができる。
【０１０４】
図９は、本発明によるエンコーディング動作によるデータ遷移最小化ＤＴＭ処理前の総トグル数Ｎ１と、データ遷移最小化ＤＴＭ処理後の総トグル数Ｎ２とを比較するための図である。以下、例えば、入力階調データを２４ビットと仮定して説明する。
【０１０５】
図９に示したように、ビット別隣接階調データ間トグル数Ｎの合計が０である場合から１２個を有するＤＴＭ処理前データの総トグル数Ｎ１やＤＴＭ処理後データの総トグル数Ｎ２は同じである。もちろん、この時、極性データＤＰＯＬはローレベルである。
しかし、ビット別隣接データ間トグル数Ｎの合計が１３以上である場合には、ＤＴＭ処理前データの総トグル数Ｎ１が増加するにつれて、ＤＴＭ処理後データの総トグル数Ｎ２は減少することが確認される。もちろん、極性データＤＰＯＬは入力された階調データは、反転されたことを知らせるためにハイレベルとなっている。
【０１０６】
前述したように、２４ビットの階調データの場合、データ反転の基準になるトグル数、即ち、臨界トグル数を１３個としてもよい。この場合、最大トグル数を１２個以下に低減することができる。
【０１０７】
以上では、液晶表示パネルを駆動するための駆動装置について述べたが、本発明は、ディスプレイパネルにスイッチング素子を有してアクティブ方式で画像をディスプレイする有機ＥＬディスプレイパネル（ｏｒｇａｎｉｃ  ｅｌｅｃｔｒｏｌｕｍｉｎｅｓｃｅｎｃｅ  ｄｉｓｐｌａｙ  ｐａｎｅｌ）等にも適用することができる。
【０１０８】
以上、本発明の実施例によって詳細に説明したが、本発明はこれに限定されず、本発明が属する技術分野において通常の知識を有するものであれば本発明の思想と精神を離れることなく、本発明を修正または変更できる。
【産業上の利用可能性】
【０１０９】
本発明にかかる表示装置、表示装置の駆動装置及び表示装置の駆動方法は、消費電力を低減してＥＭＩ発生を減少させながら応答速度を向上することができるという効果を有し、表示装置、表示装置の駆動装置及び表示装置の駆動方法等として有用である。
【図面の簡単な説明】
【０１１０】
【図１】一般的な階調データ補正部の一例を説明するための図である。
【図２】本発明による液晶表示装置を説明するための図である。
【図３】図２に図示されたデータ遷移最小化部とフレームメモリを説明するための図である。
【図４】図３に図示されたエンコーディング部の一例を説明するための図である。
【図５】本発明によるエンコーディング部の動作を説明するためのフローチャートである。
【図６】本発明によるデータ遷移最小化（Ｄａｔａ  Ｔｒａｎｓｉｔｉｏｎ  Ｍｉｎｉｍｉｚａｔｉｏｎ；ＤＴＭ）処理前の階調データの波形図である。
【図７】本発明によるデータ遷移最小化（ＤＴＭ）処理後の階調データの波形図である。
【図８】図２に図示されたタイミング制御部の他の例を説明するための図である。
【図９】本発明によるエンコーディング動作によるデータ遷移最小化処理前の総トグル数と、データ遷移最小化処理後の総トグル数とを比較するための図である。
【符号の説明】
【０１１１】
１０    フレームメモリ
２０，５２０，５７０    コントローラー
３０    階調データ変換部
１００    液晶パネル
１１０    薄膜トランジスタ
１２２    トグルチェック部
１２４    トグル数チェック部
１２６    トグルカウンター部
２００    スキャン駆動部
３００    データ駆動部
４００    フレームメモリ
５００    タイミング制御部
５１０，５６０    データ遷移最小化部
５１２    エンコーディング部
５１４    スイッチング部
５１６    デコーディング部
５３０，５８０    階調データ補正部
５５０    合成部
５９０    分離部
【図１】
2005004202.tif 000003
【図２】
2005004202.tif 000004
【図３】
2005004202.tif 000005
【図４】
2005004202.tif 000006
【図５】
2005004202.tif 000007
【図６】
2005004202.tif 000008
【図７】
2005004202.tif 000009
【図８】
2005004202.tif 000010
【図９】
2005004202.tif 000011